(57)【要約】【課題】照明装置を提供すること。【解決手段】開示された照明装置は積層された多数のシェードを含むハウジングと前記ハウジングに装着される照明部材を含むことができる。 前記シェードは相互積層された中央部位とリング形態を有して、相互離隔されるように前記中央部位からそれぞれ延長する端部位を含むことができる。前記照明部材はソケットプレートと多数の高輝度発光ダイオードを含むことができる。前記ソケットプレートは中央下部表面と傾斜した内側面を含む凹部を有することができ、前記高輝度発光ダイオードは前記凹部に装着されることができる。【選択図】図１
2011527815.tif 000002
【特許請求の範囲】
【請求項１】
ハウジング及び前記ハウジングに装着される照明部材を含む照明装置において、前記ハウジングは積層された多数のシェードを含み、      
前記シェードは相互積層された中央部位と、それぞれリング形態を有して相互離隔されるように前記中央部位からそれぞれ延長する端部位と、を含むことを特徴とする照明装置。
【請求項２】
前記シェードの中央部位はそれぞれチューブ形態を有し、それぞれの中央部位はテレスコープ（ｔｅｌｅｓｃｏｐｅ）形態に配置されることを特徴とする請求項１に記載の照明装置。
【請求項３】
前記シェードのうち最上位のシェードの中央部位を除いた残りのシェードの中央部位はそれぞれ開放された上部と閉じられた下部を有し、前記シェードの中央部位の高さは最下位シェードから最上位シェードに次第に増加することを特徴とする請求項２に記載の照明装置。
【請求項４】
前記照明部材は多数の発光ダイオードと前記多数の発光ダイオードが装着されるソケットプレートを含むことを特徴とする請求項１に記載の照明装置。
【請求項５】
前記ソケットプレートの下部面部位には下部中央表面と前記下部中央表面の周りに沿って配置される傾斜した内側面として定義される凹部が具備され、前記発光ダイオードは前記凹部内に装着されることを特徴とする請求項４に記載の照明装置。
【請求項６】
前記シェードの端部位には前記照明部材から発生される熱を放出するための多数のホールが形成されていることを特徴とする請求項１に記載の照明装置。
【請求項７】
前記シェードの中央部位はそれぞれプレート形態を有して、垂直方向に積層されることを特徴とする請求項１に記載の照明装置。
【請求項８】
前記シェードの端部位は相互異なる方向にそれぞれ延長することを特徴とする請求項７に記載の照明装置。
【請求項９】
前記シェードのうち最上位のシェードの中央部位上に配置されて、外部の支持部材に前記ハウジングを連結するための連結部材をさらに含むことを特徴とする請求項７に記載の照明装置。
【請求項１０】
前記照明部材をカバーして、光透過性材質からなるカバーをさらに含むことを特徴とする請求項１に記載の照明装置。
【発明の詳細な説明】
【技術分野】
【０００１】
本発明は、照明装置に関し、より詳細には、多数の高輝度発光に関する。
【背景技術】
【０００２】
一般的に照明装置には水銀など、ナトリウムなどのような照明などが用いられていたが、最近は電力消費量を減少させられ、延長した寿命を有する高輝度の発光ダイオードが用いられている。
【０００３】
しかし、前記高輝度の発光ダイオードは使用の途中に発生する高熱が問題点として指摘されている。前記発光ダイオードを用いる照明装置の場合、放熱が適切に成されない場合、発光ダイオードの寿命が非常に低下され、これによって、前記照明装置の維持補修費が非常に増加する。
【０００４】
最近、前記のような問題点を克服するために多様な構造の照明機構が開発されている。例えば、放熱フィンを用いて熱を放出する構造、放熱フィンと冷却ファンを装着する構造、冷却水を用いた強制冷却構造などが開発されている。前記のような放熱構造を有する照明装置の例は大韓民国公開特許第２００７−９７６７９号、第２００８−６９７９号、第２００７−９７００４号などに開示されている。
【０００５】
しかし、従来の照明装置において冷却フィンがケース内部に配置される場合、放熱効果が大きくなく、冷却フィン、または、冷却水を用いる場合、街灯などの構造が複雑になるにつれて、実際に適用することが難しい。また、冷却フィン、または、冷却水の強制循環を用いる場合、照明灯の製造費用及び維持補修費が非常に増加する。
【０００６】
また、街灯として使われる照明装置の場合、外部に設置されるため、太陽光に直接的に露出される。この場合、前記太陽光によって街灯の内部の温度がさらに上昇され、これによって内部に設置された発光ダイオードの寿命が短縮される。
【発明の概要】
【発明が解決しようとする課題】
【０００７】
本発明は前記のような問題点を解決するために鑑みてなされたものであり、本発明の目的は製作が容易な簡単な構造を有して、放熱効果を向上させることができる照明装置を提供することにある。
【課題を解決するための手段】
【０００８】
前記目的を達成するための本発明の一側面による照明装置は、ハウジング及び前記ハウジングに装着される照明部材を含むことができる。前記ハウジングは積層された多数のシェードを含むことができ、前記シェードは相互積層された中央部位と、それぞれリング形態を有して、相互離隔されるように前記中央部位からそれぞれ延長する端部位を含むことができる。前記シェードは比較的高い熱伝導度を有する物質、例えば、アルミニウム、銅、または、これらの合金からなり、前記シェードの端部位は前記照明部材から発生される熱を放出するための放熱フィンとして機能することができる。
【０００９】
本発明の実施形態によると、前記シェードの中央部位はそれぞれチューブ形態を有し、それぞれの中央部位はテレスコープ（ｔｅｌｅｓｃｏｐｅ）形態に配置される。
【００１０】
本発明の実施形態によると、前記シェードのうち最上位のシェードの中央部位を除いた残りのシェードの中央部位はそれぞれ開放された上部と閉じられた下部を有することができる。また、前記シェードの中央部位の高さは最下位のシェードから最上位のシェードに次第に増加する。前記シェードは前記閉じられた下部を通じて前記最上位のシェードの中央部位に締結されるネジ、または、ボルトのような部材によって相互結合される。
【００１１】
本発明の実施形態によると、前記照明部材は多数の発光ダイオードと前記多数の発光ダイオードが装着されるソケットプレートを含むことができる。
【００１２】
本発明の実施形態によると、前記ソケットプレートの下部面部位には、下部中央表面と前記下部中央表面の周辺に沿って配置される傾斜した端表面として定義される凹部が具備され、前記発光ダイオードは前記凹部内に装着される。例えば、前記発光ダイオードは前記下部中央表面及び前記傾斜した端表面上に装着される。
【００１３】
本発明の実施形態によると、前記シェードの端部位には前記照明部材から発生される熱を放出するための多数のホールが形成される。
【００１４】
本発明の実施形態によると、前記シェードの中央部位はそれぞれプレート形態を有して垂直方向に積層されることができる。
【００１５】
本発明の実施形態によると、前記シェードの端部位は相互異なる方向にそれぞれ延長することができる。
【００１６】
本発明の実施形態によると、前記シェードのうち最上位のシェードの中央部位上に配置され、外部の支持部材に前記ハウジングを接続するための接続部材をさらに含むことができる。
【００１７】
本発明の実施形態によると、前記照明部材をカバーして光透過性材質からなるカバーをさらに含むことができる。
【発明の効果】
【００１８】
上述した通り、本発明の実施形態によると、従来の技術とは異なり圧延、プレッシング、ローリングなどの整形技術を利用して照明装置のハウジングを比較的簡単に製造することができ、また、放熱のためのハウジングの重量をさらに減少させることができるため、照明装置の製造費用をさらに節減させることができる。また、ハウジングのシェードによって増加する放熱面積によって放熱効果がさらに向上されるので、発光ダイオードの接合（ｊｕｎｃｔｉｏｎ）温度及び熱抵抗を減少させられ、それに加え、発光ダイオードの寿命を延長させることができる。さらに、発光ダイオードが装着される凹部の側面傾斜角を調節することによって、照明装置の配光特性を向上させられ、これによって、より均一な照明光を提供することができる。
【図面の簡単な説明】
【００１９】
【図１】本発明の第１実施形態に係る照明装置を説明するための概略的な断面図である。
【図２】図１に示した照明装置の側面図である。
【図３】図１に示したシェードの他の形態を説明するための分解斜視図である。
【図４】本発明の第２実施形態に係る照明装置を説明するための概略的な断面図である。
【図５】図４に示した照明装置の上面図である。
【図６】図４に示した照明装置の底面図である。
【発明を実施するための形態】
【００２０】
以下、本発明に係る実施形態を添付された図面を参照して詳細に説明すると次のようである。しかし、これは本発明を特定の開示形態に限定されず、他の形態で具現され、本発明において紹介される実施形態は開示された内容がさらに完全になり、当業者に本発明の思想と特徴が十分に伝えられるために提供される。図面において、各装置または、構成要素及び領域の厚さは本発明の明確性を期するために誇張に示し、また、各装置は、本明細書において説明されていない多様な付加要素を追加的に具備することができ、特定要素が異なる構成要素、または、装置上に位置することとして言及される場合、前記他の構成要素または、装置上に直接配置されたりそれらの間に追加的な要素が介在することができる。
【００２１】
図１は本発明の第１実施形態に係る照明装置を説明するための概略的な断面図であり、図２は図１に示した照明装置の側面図である。
【００２２】
図１を参照すると、本実施形態に係る照明装置１００は高輝度発光ダイオード１３０を用いることができる。前記照明装置１００はハウジング１１０と前記ハウジング１１０に装着される照明部材１２０を含むことができる。前記照明部材１２０は高輝度発光ダイオード１３０を含むことができる。
【００２３】
前記ハウジング１１０は積層された多数のシェード１１２を含むことができる。前記シェード１１２は垂直方向に積層される中央部位１１４と前記中央部位１１４から延長するリング形態の端部位１１６を含むことができる。前記シェード１１２の端部位１１６を垂直方向に相互離隔される。
【００２４】
前記シェード１１２の中央部位１１４はそれぞれチューブ形態を有することができ、テレスコープ形態に配置されることができる。 例えば、前記シェード１１２の中央部位１１４はそれぞれシリンダ形態を有することができ、最下位のシェード１１２ｄから最上位のシェード１１２ａへ次第に減少される直径を有することができる。この場合、前記シェード１１２の端部位１１６は前記シリンダ形態の中央部位１１４の上段部位から外側に延長することができ、それぞれ円形リング形状を有することができる。しかし、前記シェード１１２の中央部位１１４は楕円形または、四角、五角などのような多角形チューブ形態を有することもでき、前記端部位１１６は楕円形または、四角、五角などのような多角形リング形態を有することもある。また、示されたことによれば、よっつのシェード１１２が用いられているが、前記シェード１１２の数量は本発明の範囲を限定しない。
【００２５】
前記シェードのうち最上位のシェード１１２ａの中央部位を除いた残りのシェード１１２ｂ、１１２ｃ、１１２ｄの中央部位はそれぞれ開放された上部と閉じられた下部を有することができ、前記残りのシェード１１２ｂ、１１２ｃ、１１２ｄの閉じられた下部は垂直方向に積層されることができる。前記最上位のシェード１１２ａの中央部位は上部と下部が開放されることができる。即ち、前記最上位のシェード１１２ａの中央部位は垂直方向に貫通するホールを有することができる。この場合、詳細に示していないが、前記最上位のシェード１１２ａの中央部位の上段部と下段部にはナットが形成され、前記残りのシェード１１２ｂ、１１２ｃ、１１２ｄの閉じられた下部を貫通して、前記最上位のシェード１１２ａの下段部に締結されるネジ、または、ボルトのような締結部材１１８によって前記シェード１１２が相互接続される。また、前記最上位のシェード１１２ａの上段部ナットは前記照明装置１００を外部の支持部材（図示せず）に接続するために使われることができる。しかし、前記とは異なり、前記ハウジング１１０のシェード１１２は溶接、または、ハンダ付けを通じて接合されることもできる。
【００２６】
前記シェード１１２の中央部位１１４の高さは前記最下位のシェード１１２ｄから前記最上位のシェード１１２ａに次第に増加することができ、前記シェード１１２の端部位１１６は前記中央部位１１４の上段部から外側下方に延長することができる。したがって、前記シェード１１２の端部位１１６は垂直方向に相互離隔されることができる。
【００２７】
前記端部位１１６の延長の長さは前記最上位のシェード１１２ａから前記最下位のシェード１１２ｄに次第に増加することができる。 即ち、前記端部位１１６は下方に次第に大きくなる大きさを有することができる。一方、前記端部位１１６の下方傾斜角は同一でもあり、異なってもよい。例えば、示した通り、上方に次第に減少することもある。また、示した通り、前記シェード１１２の端部位１１６は円錐形態を有することができる。一方、前記シェード１１２の中央部位１１４は示した通り水平方形に相互離隔できる。
【００２８】
前記照明部材１２０は前記最下位のシェード１１２ｄの中央部位下部面上に装着される。例えば、前記照明部材１２０は多数の高輝度発光ダイオード１３０と前記高輝度発光ダイオード１３０が装着されるソケットプレート１４０を含むことができる。前記ソケットプレート１４０は前記締結部材１１８によって前記ハウジング１１０に装着される。具体的に、前記締結部材１１８は前記ソケットプレート１４０の中央部位と前記残りのシェード１１２ｂ、１１２ｃ、１１２ｄの中央部位を貫通して、前記最上位のシェード１１２ａの中央部位に締結されることができる。
【００２９】
図２に示した通り、前記ソケットプレート１４０の下部面部位には下部中央表面１４２と前記下部中央表面１４２の周りに沿って配置される傾斜した内側面１４４として定義される凹部１４６が具備されることができる。前記高輝度発光ダイオード１３０は前記凹部１４６の内部、即ち、下部中央表面１４２と傾斜した内側面１４４上に装着されることができる。前記傾斜内側面１４４の傾斜角は約２０〜４０°程度であってもよい。前記傾斜内側面１４４は前記高輝度発光ダイオード１３０の配光特性を向上させるために具備されることができる。即ち、前記傾斜内側面１４４は照明光の放射角度を調節するために具備され、また、傾斜内側面１４４の傾斜角調節を通じて照明光の均一度を調節することができる。
【００３０】
図示によると、傾斜内側面１４４が２段で構成されているが、これと異なり段差がないこともあり、３段以上の多端に構成されることもある。特に、段差がない場合、前記照明装置１００の配光特性を向上させるために前記傾斜内側面１４４が曲面形態を有することもでき、多端で構成される場合、傾斜内側面１４４の傾斜角を相互異なるように構成することもできる。
【００３１】
また、図示によると、前記ソケットプレート１４０が四角形態を有しているが、本発明の範囲はソケットプレート１４０の形態によって限定されない。即ち、前記ソケットプレート１４０は円形、楕円形、または、三角、五角、六角などの多角形の形態を有する。
【００３２】
上述したことによると、前記高輝度発光ダイオード１３０がソケットプレート１４０を通じてハウジング１１０の最下位のシェード１１２ｄに装着されているが、前記高輝度発光ダイオード１３０は前記ハウジング１１０に直接装着されることもある。また、前記ソケットプレート１４０の下部面は平らに構成されることもある。
【００３３】
示していないが、前記照明装置１００は前記ソケットプレート１４０に装着された高輝度発光ダイオード１３０を保護するためのカバー（図示せず）をさらに含むこともできる。前記カバーは光透過性物質からなることができ、照明光を均一に拡散させるために使われることもある。
【００３４】
また、前記凹部１４６内の下部中央表面１４２と傾斜した内側面１４４上には前記照明光を反射させて光使用効率を向上させる光反射膜（図示せず）が形成される。前記光反射膜としては銀鏡膜が使われることができる。しかし、前記光反射膜として前記銀鏡膜以外の他の膜が使われることもできる。
【００３５】
前記ハウジング１１０のシェード１１２と前記ソケットプレート１４０は前記高輝度発光ダイオード１３０によって、発生される熱を容易に放出できるように、熱電導度が比較的高い材質からなることができる。例えば、前記ハウジング１１０のシェード１１２と前記ソケットプレート１４０はアルミニウム、銅または、これらの合金からなることができる。
【００３６】
前記の本実施形態によると、前記ハウジング１１０のシェード１１２、特に、前記シェード１１２の端部位１１６は前記照明部材１２０から発生される熱を放出するための放熱フィンとして機能することができる。前記ハウジング１１０の表面積は垂直方向に相互離隔された前記シェード１１２の端部位１１６と水平方向に相互離隔された前記シェード１１２の中央部位１１４によってさらに増加され、これによって、前記照明装置１００の放熱効率がさらに増加することができる。結果的に、高輝度発光ダイオード１３０の接合（ｊｕｎｃｔｉｏｎ）温度及び熱抵抗が非常に減少され、寿命がさらに延長されることができる。
【００３７】
また、前記ハウジング１１０のシェード１１２が個別的に圧延、プレッシング、ローリングなどの整形方法で薄い板材を用いて製造されるので、圧出、鋳物、ダイカストなどの方法で製造された従来のハウジングに比べて製造費用がさらに節減される。
【００３８】
一方、前記照明装置１００が街灯のように屋外で使われる場合、太陽光に直接的に露出され、これによって、前記照明装置１００の温度がさらに上昇される。この場合、前記シェード１１２の端部位１１６は前記太陽光が前記ソケットプレート１４０、または、前記シェード１１２の中央部位１１４に直接的に照射されることを防止する遮陽板として機能することができる。
【００３９】
図３は図１に示したシェードの他の形態を説明するための分解斜視図である。
【００４０】
図３を参照すると、ハウジング１１０の最上位のシェード１１２ａを除いた残りのシェード１１２ｂ、１１２ｃ、１１２ｄの端部位には円周方向に多数のホール１１６ａが形成されることができる。 前記ホール１１６ａは前記高輝度発光ダイオード１３０から伝達される熱を効果的に放出するために、即ち、ハウジング１１０の放熱効果を増加させるために具備されることができる。
【００４１】
前記残りのシェード１１２ｂ、１１２ｃ、１１２ｄの端部位に形成されるホール１１６ａは通風口として機能することができ、特に、前記照明装置１００が街灯のように屋外で使われる場合、前記ホール１１６ａによって放熱効果がさらに向上することができる。
【００４２】
図４は本発明の第２実施形態に係る照明装置を説明するための概略的な断面図である。図５は図４に示した照明装置の平面図であり、図６は図４に示した照明装置の底面図である。
【００４３】
図４〜図６を参照すると、本実施形態に係る照明装置２００はハウジング２１０と照明部材２２０を含むことができる。前記ハウジング２１０は多数のシェード２１２を含むことができ、前記照明部材２２０は高輝度発光ダイオード２３０を含むことができる。
【００４４】
前記ハウジング２１０は積層された多数のシェード２１２を含むことができる。前記シェード２１２は垂直方向に積層される中央部位２１４と前記中央部位２１４から延長するリング形態の端部位２１６を含むことができる。前記シェード２１２の端部位２１６を垂直方向に相互離隔されることができる。
【００４５】
前記シェード２１２の中央部位２１４はプレート形態を有し、前記シェード２１２の端部位２１６はリング形態を有して前記中央部位２１４から他の方向にそれぞれ延長することができる。即ち、前記シェード２１２端部位２１６は相互離隔されることができる。
【００４６】
図示によると、最上位のシェードの端部位は中央部位と同一に水平方向に延長して、残りのシェードの端部位は下方に傾斜するように延長することができる。前記残りのシェードは最上位のシェードから最下位のシェードに次第に増加する傾斜角をそれぞれ有することができる。しかし、前記最上位のシェードの端部位も下方傾斜角を有することもある。
【００４７】
図示によると、前記シェード２１２の中央部位２１４がディスク形態を有しているが、四角、五角などのように多角形プレートが前記シェード２１２の中央部位２１４として使われることもでき、この場合、前記シェードの端部位はそれぞれ四角リング、五角リングなどのような多角のリング形態を有することができる。
【００４８】
また、前記シェード２１２の中央部位２１４は最下位のシェードから最上位のシェードに次第に増加する直径を有することができる。この場合、前記シェード２１２の端部位２１６の傾斜角は全部同一であってもよい。
【００４９】
本発明の他の実施形態によれば、前記シェード２１２の中央部位２１４はほぼ同一な直径を有することができる。この場合、前記シェード２１２の端部位２１６傾斜角は下方に次第に増加することができる。
【００５０】
前記照明部材２２０は前記最下位のシェードの中央部位下部面上に装着されるソケットプレート２４０と前記ソケットプレート２４０の下部面上に装着される多数の高輝度発光ダイオード２３０を含むことができる。図示によると、前記ソケットプレート２４０の下部面は平らに構成されているが、図１に示したソケットプレート２４０が本実施形態に適用されることもできる。また、前記ソケットプレート２４０の外角形態は円形、楕円形または、多角形などのように多様に構成されることができる。例えば、示したようにディスク形態のソケットプレート２４０が使われることもできる。しかし、前記とは異なり、前記高輝度発光ダイオード２３０は前記最下位のシェードの下部面上に直接装着されることもできる。
【００５１】
前記最上位のシェードの上部面上には前記ハウジング２１０を外部の支持部材（図示せず）に接続するための接続部材２５０が配置される。前記接続部材２５０は下部材２５２と上部材２５４を含むことができ、前記下部材２５２と上部材２５４との間には前記外部支持部材と接続のためのホール２５６が形成されることができる。前記下部材２５２と上部材２５４はボルト、または、ネジなどのような締結部材によって結合されることができる。即ち、前記ホール２５６に外部支持部材の支持バー（ｓｕｐｐｏｒｔｂａｒ）が挿入された状態で前記下部材２５２と上部材２５４が相互結合されることによって、前記ハウジング２１０が外部の支持部材に装着される。しかし、本発明は外部の支持部材に前記照明装置２００が装着される方法、または、構造によって限定されない。
【００５２】
前記接続部材２５０は多数の放熱フィン２５８を含むことができ、前記接続部材２５０の下部材２５２は前記ハウジング２１０にボルトまたは、ネジによって締結されることができる。しかし、前記接続部材２５０の下部材２５２は溶接または、ハンダ付けによって前記ハウジング２１０に接合されることもできる。
【００５３】
また、前記ハウジング２１０のシェード２１２はボルトまたは、ネジによって前記接続部材２５０と接続されることができる。詳細に示していないが、前記ソケットプレート２４０と前記シェード２１２を通じて締結部材（図示せず）が前記接続部材２５０の下部材２５２に締結されることができる。
【００５４】
前記照明装置２００は前記ソケットプレート２４０に装着された高輝度発光ダイオード２３０を保護するためのカバー２６０をさらに含むこともできる。前記カバー２６０は光透過性物質からなり、照明光を均一に拡散させるために使われることもできる。
【００５５】
前記ハウジング２１０のシェード２１２と前記接続部材２５０及び前記ソケットプレート２４０は前記高輝度発光ダイオード２３０によって発生される熱を容易に放出できるように、熱伝導度が比較的高い材質からなることができる。例えば、前記ハウジング２１０のシェード２１２と前記ソケットプレート２４０はアルミニウム、銅または、これらの合金からなることができる。
【００５６】
前記シェード２１２の端部位２１６は前記照明部材２２０から発生される熱を放出するための放熱フィンとして機能することができる。前記ハウジング２１０の表面積は垂直方向に相互離隔された前記シェード２１２の端部位２１６によってさらに増加され、これによって、前記照明装置２００の放熱効率がさらに増加することができる。また、前記照明装置２００が街灯のように屋外で使われる場合、前記シェード２１２の端部位２１６は前記太陽光が前記ソケットプレート２４０または、前記シェード２１２の中央部位２１４に直接的に照射されることを防止する遮陽板として機能することができる。
【００５７】
また、前記シェード２１２の端部位２１６には円周方向に多数のホール２１６ａが形成されることができる。前記ホール２１６ａは前記高輝度発光ダイオード２３０から伝達される熱を効果的に放出するために具備されることができる。即ち、前記シェード２１２の端部位２１６に形成されるホール２１６ａは通風口として機能することができ、特に、前記照明装置２００が街灯のように屋外で使われる場合、前記ホール２１６ａによって放熱効果がさらに向上することができる。
【００５８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範囲内において、各種の変更例または修正例に想到し得ることは明らかであり、これらについても、当然に本発明の技術的範囲に属するものと了解される。
【産業上の利用可能性】
【００５９】
上述した本発明の実施形態によると、比較的薄い板材を用いて圧延、プレッシング、ローリングなどの整形方法で照明装置のハウジングを比較的簡単に製造することができる。即ち、ハウジングのシェードを比較的安い整形方法で製造することができ、また薄い板材を用いることで、ハウジングの重量をさらに減少させることができるので、照明装置の製造費用をさらに節減させることができる。
【００６０】
また、前記ハウジングのシェードを放熱フィン及び遮陽板として用いることによって、前記照明装置の放熱効果をさらに向上させられ、これによって、照明部材として用いられる高輝度発光ダイオードの接合温度及び熱抵抗を減少させることができ、また、前記高輝度発光ダイオードの寿命をさらに増加させることができる。それに、前記高輝度発光ダイオードが装着されるソケットプレートの凹部の側面傾斜角を調節することによって、照明装置の配光特性を向上させられ、これよって、より均一な照明光を提供することができる。
【図１】
2011527815.tif 000003
【図２】
2011527815.tif 000004
【図３】
2011527815.tif 000005
【図４】
2011527815.tif 000006
【図５】
2011527815.tif 000007
【図６】
2011527815.tif 000008
【国際調査報告】
2011527815.tif 000009
2011527815.tif 000010
2011527815.tif 000011
2011527815.tif 000012